(57)【要約】  【課題】  墨入れ処理を伴う画像処理に際し、認識された顔領域部分にてより顔領域が好ましい状態で再現できると共に、顔領域以外の他の領域部分においても好ましい状態で再現する。  【解決手段】  画像データを画像入力部１１０にて入力し、入力された画像データにおける顔領域を顔抽出部１３０により判別する。また、顔領域と判別される画像データの領域に対しては第１の画像処理部２１０により顔領域のための第１の色変換テーブルを用いて処理を施し、顔以外の領域と判別される画像データの領域に対しては第２の画像処理部２２０により顔以外の領域のための第２の色変換テーブルを用いて処理を施す。そして、それぞれの領域にて処理された画像データを合成処理部２３０によって合成する。このとき、この第１の色変換テーブルにて設定される墨入れ量は、第２の色変換テーブルにて設定される墨入れ量に比べて小さいことを特徴としている。  【選択図】  図２
2006099167.tif 000002
【特許請求の範囲】
【請求項１】
画像データを入力する入力手段と、
前記入力手段により入力された前記画像データにおける顔領域を判別する判別手段と、
前記判別手段により顔領域と判別される前記画像データの領域に対しては、顔領域のための第１の色変換テーブルを用いて処理を施す第１の処理手段と、
前記判別手段により顔以外の領域と判別される前記画像データの領域に対しては、顔以外の領域のための第２の色変換テーブルを用いて処理を施す第２の処理手段と、
前記第１の処理手段により前記第１の色変換テーブルを用いて処理された領域と前記第２の処理手段により前記第２の色変換テーブルを用いて処理された領域とを合成する合成手段とを備え、
前記第１の色変換テーブルにて設定される墨入れ量は、前記第２の色変換テーブルにて設定される墨入れ量に比べて小さいことを特徴とする画像処理装置。
【請求項２】
前記第１の色変換テーブルと前記第２の色変換テーブルとは、調子再現カーブが異なることを特徴とする請求項１記載の画像処理装置。
【請求項３】
前記第１の色変換テーブルの調子再現カーブは、前記第２の色変換テーブルの調子再現カーブに比べて顔領域中央部における傾きを寝せることを特徴とする請求項２記載の画像処理装置。
【請求項４】
前記第１の処理手段と前記第２の処理手段とは、異なる空間フィルタを用いることを特徴とする請求項１記載の画像処理装置。
【請求項５】
前記第１の色変換テーブルおよび前記第２の色変換テーブルは、最大墨入れ量を、(Ｌ＊，ａ＊，ｂ＊)＝(ｋ，０，０)を頂点にＬ＊＝０、ａ＊２＋ｂ＊２＝ｒの円を底面とする円錐で規定し、当該第１の色変換テーブルおよび当該第２の色変換テーブルにてｋが等しく、且つ、当該第１の色変換テーブルの底面をｒｆ、当該第２の色変換テーブルにて底面をｒ０としたときに
ｒｆ ＜ ０.７×ｒ０
の関係にあることを特徴とする請求項１記載の画像処理装置。
【請求項６】
前記第１の色変換テーブルは、墨入れをしない(黒＝０)ように設定されることを特徴とする請求項１記載の画像処理装置。
【請求項７】
前記判別手段によって判別される顔領域と顔以外の領域との境界部分に対しては、前記第１の色変換テーブルおよび前記第２の色変換テーブルをランダムに混ぜて処理を施す第３の処理手段を更に備えたことを特徴とする請求項１記載の画像処理装置。
【請求項８】
撮影された画像データを入力する入力手段と、
前記入力手段により入力された前記画像データに対して顔領域か顔以外の領域かを判別し、判別結果に基づき、墨入れ量の異なる複数の色変換テーブルを用いて当該画像データに画像処理を施す画像処理手段と、
前記画像処理手段により画像処理が施された前記画像データを用いて記録材上に画像を形成する画像形成手段と
を含む画像形成装置。
【請求項９】
前記画像処理手段にて用いられる前記複数の色変換テーブルは、最大墨入れ量を、(Ｌ＊，ａ＊，ｂ＊)＝(ｋ，０，０)を頂点にＬ＊＝０、ａ＊２＋ｂ＊２＝ｒの円を底面とする円錐で規定し、当該複数の色変換テーブルにてｋが等しく、且つ、当該複数の色変換テーブルを構成する第１の色変換テーブルにて底面をｒｆ、第２の色変換テーブルにて底面をｒ０としたときに
ｒｆ ＜ ０.７×ｒ０
の関係にあることを特徴とする請求項８記載の画像形成装置。
【請求項１０】
入力された画像データの領域について顔領域か顔以外の領域かを判別するステップと、
顔以外の領域と判別された前記画像データの領域に対し、通常色変換テーブルを用いて画像処理を施す画像処理ステップと、
顔領域と判別された前記画像データの領域に対し、前記通常色変換テーブルに比べて墨入れ量を少なく設定された顔領域用色変換テーブルを用いて画像処理を施す顔領域画像処理ステップと、
前記画像処理ステップにより画像処理が施された領域と、前記顔領域画像処理ステップにより画像処理が施された領域とを合成するステップと、
合成された画像データを画像形成装置に出力するステップと
を含む画像処理方法。
【請求項１１】
前記顔領域画像処理ステップに用いられる前記顔領域用色変換テーブルは、前記通常色変換テーブルとは異なる調子再現カーブを用いることを特徴とする請求項１０記載の画像処理方法。
【請求項１２】
前記顔領域画像処理ステップは、前記画像処理ステップに用いられる空間フィルタとは異なる空間フィルタを用いて画像処理を施すことを特徴とする請求項１０記載の画像処理方法。
【請求項１３】
前記顔領域画像処理ステップに用いられる前記顔領域用色変換テーブルは、墨入れをしないことを特徴とする請求項１０記載の画像処理方法。
【請求項１４】
前記顔領域用色変換テーブルおよび前記通常色変換テーブルは、最大墨入れ量を、(Ｌ＊，ａ＊，ｂ＊)＝(ｋ，０，０)を頂点にＬ＊＝０、ａ＊２＋ｂ＊２＝ｒの円を底面とする円錐で規定し、当該顔領域用色変換テーブルおよび当該通常色変換テーブルにてｋが等しく、且つ、当該顔領域用色変換テーブルにて底面をｒｆ、当該通常色変換テーブルにて底面をｒ０としたときに
ｒｆ ＜ ０.７×ｒ０
の関係にあることを特徴とする請求項１０記載の画像処理方法。
【請求項１５】
前記判別するステップによって認識された顔領域と顔以外の領域との境界部分の領域については、前記画像処理ステップと前記顔領域画像処理ステップとを交互に実施することを特徴とする請求項１０記載の画像処理方法。
【請求項１６】
入力されたカラー画像データを画像形成装置の出力特性に合わせて画像処理するコンピュータに、
入力された前記カラー画像データについて顔領域を判別する機能と、
顔領域と判別された前記画像データの領域に対し、通常の領域に対して用いられる通常色変換テーブルに比べて墨入れ量を少なく設定された顔領域用色変換テーブルを用いて画像処理を施す機能と、
を実現させるプログラム。
【請求項１７】
前記コンピュータに、
入力された前記カラー画像データについて顔以外の領域を判別する機能と、
顔以外の領域と判別された前記カラー画像データの領域に対して、前記通常色変換テーブルを用いて画像処理を施す機能と、
前記顔領域用色変換テーブルを用いて画像処理が施された画像データと前記通常色変換テーブルを用いて画像処理がなされた画像データとを合成して出力する機能と
を更に実現させる請求項１６記載のプログラム。
【発明の詳細な説明】
【技術分野】
【０００１】
本発明は、プリンタや複写機、印刷機等の画像形成装置に用いられる画像処理装置、画像処理方法に係り、より詳しくは、黒を含んだ記録色信号を用いて人物の顔領域を再現するのに好適な画像処理装置、および画像処理方法に関する。
【背景技術】
【０００２】
例えば、撮影された写真画像データをプリント再現する際に、人物の顔の部分は最も敏感に観察される部分である。プリント品質の良い写真プリントを作成するためには、人物の顔の色を適正な色で再現することや、滑らかに色再現することなどが要求されている。
【０００３】
そこで、従来から、顔領域を抽出する方法について幾つかの提案がなされている。例えば、ネガフィルムなどのカラー原画像から特徴画像データである人物の顔のデータのみを抽出するために、円または長円の領域によって求められる領域を抽出して顔のデータを分析する技術が存在する(例えば、特許文献１参照。)。また、画面上にて推定される顔サイズと抽出される肌色領域とを用いて顔領域を検出する内容が開示されている(例えば、特許文献２参照。)。また、アナログ写真において、抽出した顔領域部分に合わせて明るさや色味を調整する方法が提案されている(例えば、特許文献３参照。)。更にデジタル写真では、顔や空などの記憶色の色再現に合わせてＬＵＴ(ルックアップテーブル)を変える方法が提案されている(例えば、特許文献４参照。)。このように、従来から、写真画像に対するプリント出力において顔領域に対して他の領域とは異なる特別な処理を施す技術が存在していた。
【０００４】
【特許文献１】特開平５−１６５１１９号公報(第３−５頁、図２)
【特許文献２】特開平７−３０６４８３号公報(第４−５頁、図４)
【特許文献３】特開昭６３−１７８２２２号公報(第５頁、第２図、第３図)
【特許文献４】特開平６−１６９３９５号公報(第６頁、図６、図７)
【発明の開示】
【発明が解決しようとする課題】
【０００５】
ここで、フルカラーのプリンタや商用印刷などの画像形成装置では、一般に、シアン(Ｃ)、マゼンタ(Ｍ)、イエロー(Ｙ)、墨、黒(Ｋ)の階調を制御することにより、フルカラー画像の再現を行っている。原理的にはＣ，Ｍ，Ｙの３色によりフルカラーの再現は可能であるが、墨を適切に用いることにより、コストの低減や画質を向上させることができる。従来から、例えば墨入れ処理に伴うスクリーン構造の見えや、ノイズ増加などを抑制することを目的として、墨入れ条件の工夫がなされた技術も存在する。しかしながら、このような墨入れ処理方法を用いて顔の墨量を抑制すると、墨を用いて濃度を出していることから顔以外の高濃度領域の色再現範囲が狭くなる問題がある。また、調子再現にて画像の滑らかさが失われたり、階調が反転するといった問題が生じる場合がある。
【０００６】
本発明は、かかる課題を解決するためになされたものであって、その主たる目的は、墨入れ処理を伴う画像処理において、認識された顔領域部分にてより顔領域が好ましい状態で再現できると共に、顔領域以外の他の領域部分においても好ましい状態で再現することにある。
また他の目的は、顔領域におけるスクリーン構造や粒状を目立たなくさせると共に、この領域の滑らか調子再現を可能にすることにある。
更に他の目的は、顔領域を滑らかに再現した場合であっても、顔以外の領域の色再現範囲を広く確保するとともに、顔以外の領域の連続性や滑らかさを確保することにある。
【課題を解決するための手段】
【０００７】
かかる目的のもと、本発明は、色補正をするときに顔の部分だけ色補正処理を変えることで、墨入れによって顔以外の領域に対する色再現範囲を広くした場合であっても、顔領域のスクリーン構造や粒状性を目立たなくして、より好ましい再現を可能にしている。即ち、本発明が適用される画像処理装置は、画像データを入力手段により入力し、この入力手段により入力された画像データにおける顔領域を判別手段により判別する。また、この判別手段により顔領域と判別される画像データの領域に対しては、第１の処理手段により顔領域のための第１の色変換テーブルを用いて処理を施し、この判別手段により顔以外の領域と判別される画像データの領域に対しては、第２の処理手段により顔以外の領域のための第２の色変換テーブルを用いて処理を施す。そして、この第１の処理手段により第１の色変換テーブルを用いて処理された領域と第２の処理手段により第２の色変換テーブルを用いて処理された領域とを合成手段によって合成する。このとき、この第１の色変換テーブルにて設定される墨入れ量は、第２の色変換テーブルにて設定される墨入れ量に比べて小さいことを特徴としている。また、判別手段によって判別される顔領域と顔以外の領域との境界部分に対しては、この第１の色変換テーブルおよび第２の色変換テーブルをランダムに混ぜて第３の処理手段により処理を施すことを特徴とすることができる。
【０００８】
ここで、この第１の色変換テーブルと第２の色変換テーブルとは、調子再現カーブが異なることを特徴としている。また、この第１の色変換テーブルの調子再現カーブは、第２の色変換テーブルの調子再現カーブに比べて顔領域中央部における傾きを寝せることを特徴としている。
また、この第１の処理手段と第２の処理手段とは、異なる空間フィルタを用いることを特徴とすれば、２つの領域においてシャープネスを調整することができる点で好ましい。
【０００９】
更に、この第１の色変換テーブルおよび第２の色変換テーブルは、最大墨入れ量を、(Ｌ＊，ａ＊，ｂ＊)＝(ｋ，０，０)を頂点にＬ＊＝０、ａ＊２＋ｂ＊２＝ｒの円を底面とする円錐で規定し、この第１の色変換テーブルおよび第２の色変換テーブルにてｋが等しく、且つ、第１の色変換テーブルにて底面ｒをｒ＝ｒｆ、第２の色変換テーブルにて底面ｒをｒ＝ｒ０としたときに、ｒｆ ＜ ０.７×ｒ０の関係にあることを特徴としている。
また、この第１の色変換テーブルは、墨入れをしない(黒＝０)ように設定されることを特徴とすることができる。
【００１０】
また、本発明を画像形成装置から把えると、本発明は撮影されたポートレート画像などの画像データを入力する入力手段と、この入力手段により入力された画像データに対して顔領域か顔以外の領域かを判別し、判別結果に基づき、墨入れ量の異なる複数の色変換テーブルを用いて画像データに画像処理を施す画像処理手段と、この画像処理手段により画像処理が施された画像データを用いて記録材上に画像を形成する画像形成手段とを含む。
【００１１】
一方、本発明が適用される画像処理方法は、入力された撮影画像などの画像データの領域について顔領域か顔以外の領域かを判別するステップと、顔以外の領域と判別された画像データの領域に対し、一般的に用いられる通常色変換テーブルを用いて画像処理を施す画像処理ステップと、顔領域と判別された画像データの領域に対し、通常色変換テーブルに比べて墨入れ量を少なく設定された顔領域用色変換テーブルを用いて画像処理を施す顔領域画像処理ステップと、画像処理ステップにより画像処理が施された領域と、この顔領域画像処理ステップにより画像処理が施された領域とを合成するステップと、合成された画像データを画像形成装置に出力するステップとを含む。
【００１２】
ここで、この顔領域画像処理ステップに用いられる顔領域用色変換テーブルは、通常色変換テーブルとは異なる調子再現カーブを用いることを特徴とすることができる。
また、この顔領域画像処理ステップは、画像処理ステップに用いられる空間フィルタとは異なる空間フィルタを用いて画像処理を施すことを特徴とすることができる。
更には、この顔領域画像処理ステップに用いられる顔領域用色変換テーブルは、墨入れをしないことを特徴とすることができる。
そして、この判別するステップによって認識された顔領域と顔以外の領域との境界部分の領域については、画像処理ステップと顔領域画像処理ステップとを交互に実施することを特徴とすることが可能である。
【００１３】
更に他の観点から把えると、本発明は、ＰＣや画像形成装置などに用いられるコンピュータにて実行されるプログラムとして実現できる。即ち、本発明が適用されるプログラムは、入力されたカラー画像データを画像形成装置の出力特性に合わせて画像処理するコンピュータに、入力されたカラー画像データについて顔領域を判別する機能と、顔領域と判別された画像データの領域に対し、通常の領域に対して用いられる通常色変換テーブルに比べて墨入れ量を少なく設定された顔領域用色変換テーブルを用いて画像処理を施す機能とを実現させる。
【００１４】
ここで、このプログラムは、コンピュータに、入力されたカラー画像データについて顔以外の領域を判別する機能と、顔以外の領域と判別されたカラー画像データの領域に対して、通常色変換テーブルを用いて画像処理を施す機能と、顔領域用色変換テーブルを用いて画像処理が施された画像データと通常色変換テーブルを用いて画像処理がなされた画像データとを合成して出力する機能とを更に実現させることを特徴とすることができる。
【発明の効果】
【００１５】
本発明によれば、例えば、写真プリントにおいて最も頻繁に使われる絵柄であるポートレート画像を好ましく再現することが可能となる。
【発明を実施するための最良の形態】
【００１６】
以下、添付図面を参照して、本発明の実施の形態について詳細に説明する。
図１は本実施の形態が適用されるカラー画像形成装置の構成を示した図である。このカラー画像形成装置は、矢印Ａ方向に回転可能に配設される感光体ドラム１１、矢印Ｂ方向に回動可能に配設され、感光体ドラム１１上に形成された各色成分トナー像を順次転写(一次転写)して保持させる中間転写ベルト２０、中間転写ベルト２０上に転写されたトナー像を記録材である用紙Ｐに一括転写(二次転写)させる二次転写部３０、二次転写された画像を用紙Ｐ上に定着させる定着部４０、記録材であるシート(用紙Ｐ)を搬送するシート搬送系５０、カラー画像形成装置の各機構部を制御する制御部６０を備えている。また、図示しないスキャナやコンピュータ装置(ＰＣ)などから入力された画像データを処理する画像処理装置１００を備えている。画像処理装置１００は、画像処理を実行するＣＰＵと、ＣＰＵによる各種処理に際して用いられる作業用のメモリ(ＲＡＭ等)とを備えている。また各種設定値が予め格納されたＲＯＭ等の各種メモリを備えている。
【００１７】
感光体ドラム１１の周囲には、感光体ドラム１１を帯電する帯電ロール１２、感光体ドラム１１上に静電潜像を書き込むレーザ露光器１３(図中露光ビームを符号Ｂｍで示す)、感光体ドラム１１上の静電潜像をトナーにより可視像化する回転式現像装置１４を備えている。この回転式現像装置１４は、イエロー(Ｙ)、マゼンタ(Ｍ)、シアン(Ｃ)、黒(Ｋ)の各色成分トナーが収容される各色成分現像器１４Ｙ,１４Ｍ,１４Ｃ,１４Ｋを回転可能に取り付けている。また、感光体ドラム１１上に担持された各色成分トナー像を中間転写ベルト２０に転写する一次転写ロール１５、残留トナーを除去するドラムクリーナ１６を備えている。
【００１８】
中間転写ベルト２０は、テンションロール２１、バックアップロール２２、および駆動ロール２３によって掛け渡されている。二次転写部３０は、中間転写ベルト２０のトナー像担持面側に配置される二次転写ロール３１と、バックアップロール２２を含み、これらの間には所定の二次転写バイアスが印加される。一方、二次転写部３０の下流側には、二次転写後の中間転写ベルト２０上に付着する残留トナーを除去するベルトクリーナ２４が設けられている。また、定着部４０は、加熱源を内蔵する加熱ロールとこの加熱ロールに圧接配置される加圧ロールとを備えており、トナー像が転写された用紙Ｐを通過させることで、定着を行う。シート搬送系５０は、画像が記録される用紙Ｐを積載して供給する給紙トレイ５１、用紙Ｐを取り上げて供給するナジャーロール５２、供給された用紙Ｐを一枚ずつ分離して搬送するフィードロール５３、用紙Ｐを二次転写位置に向けてタイミングを合わせて搬送するレジストロール５４を備えている。また、二次転写後の用紙Ｐを定着部４０に向けて搬送する搬送ベルト５５、定着後の用紙Ｐを機外に向けて排出する排出ロール５６、排出された用紙Ｐを積載する排紙トレイ５７を有している。
【００１９】
次に、画像処理装置１００の構成について説明する。
図２は、本実施の形態が適用される画像処理装置１００の構成を示した図である。画像処理装置１００は、画像入力部１１０、前処理部１２０、顔抽出部１３０、画像処理部２００、および画像出力部１４０を備えている。画像入力部１１０は、ＩＩＴやＰＣからスキャナ(図示せず)で得た画像データ(画像信号)や、デジタルカメラ等から直接またはＰＣを介して得た撮影された画像データ(画像信号)などを入力している。本実施の形態は、撮影された画像信号が入力される場合の処理に特徴がある。また、図２では、画像入力部１１０に入力される画像信号が、ＲＧＢ表色系の色信号である場合を示しているが、それに限られることはなく、Ｌ＊ａ＊ｂ＊表示系の色信号や、Ｌｕｖ表示系、ＸＹＺ表示系の色信号であっても構わない。尚、画像入力部１１０を画像処理装置１００の内部に設けずに、画像処理装置１００の外部に設けてもかまわない。
【００２０】
前処理部１２０では、入力された画像信号に対してノイズをとるためのスムージング処理や、照明光補正などが実行される。照明光補正としては、例えば光量むらや色むらを補正するシェーディング補正が行われる。
【００２１】
顔抽出部１３０では、顔色抽出、顔形状マッチングが行われた後、顔領域と顔以外の領域を区別する処理が行われる。顔色抽出としては、例えば、予めメモリに肌色定義を格納しておき、各画素のサブ画素を構成するＲＧＢの各色信号の配合比から、肌色を抽出する手法を適用することができる。また、各画素ごとではなく、注目画素(または注目領域)に対して所定の範囲にある領域についてＲＧＢの各色信号を分析することによって、肌色を抽出することも可能である。例えば、抽出された領域についての平均濃度を用いて判断することも有効である。顔形状マッチングとしては、例えば、肌色と認識された領域について、その輪郭形状を取り出し、予めメモリに定義されているパターン形状と比較する方法がある。例えば顔の形をサムネイルのようにして並べ、パターンの一致をみて顔と判定する等の方法がとられる。例えば顔の形に対応する楕円形と照合させ、目や鼻、口等のパターンまで判断する方法がある。更に、より認識精度を上げるために、顔以外の肩や髪、帽子やネックレスなどの服飾品など、顔とセットになって撮影される可能性の高い部位のパターンを抜き出し、これを用いて顔形状マッチングの精度を上げるように構成することも可能である。尚、顔抽出処理としては、例えば特開平７−３０６４８３号公報、特開平５−１６５１１９号公報、特開平５−１５８１６４号公報などに記載の方法を採用しても構わない。
【００２２】
画像処理部２００は、顔領域についての画像処理を行う第１の画像処理部２１０と、顔以外の領域についての画像処理を行う第２の画像処理部２２０と、この第１の画像処理部２１０からの出力と第２の画像処理部２２０からの出力との合成を行う合成処理部２３０と、を備えている。この第１の画像処理部２１０および第２の画像処理部２２０では、ガミュート色調変換や、ノイズ除去、シャープネス強調のための空間処理等が実行される。本実施の形態では、この第１の画像処理部２１０と第２の画像処理部２２０とで墨入れ量の異なった色変換テーブルを有している点に特徴がある。即ち、第１の画像処理部２１０では、第１の墨入れ量の色変換テーブルによって画像処理を施すことで、顔領域のスクリーン構造やノイズを目立たなくすることができる。また、顔用の空間処理を行うことで、粒状が良く、滑らかな画像を得ることができる。一方、第２の画像処理部２２０では、第２の墨入れ量の色変換テーブルによって画像処理を施すとともに、顔とは別の空間処理を行うことで、顔以外の領域の色再現範囲を広くすることができ、かつ階調の連続性や滑らかさが失われない出力を得ることが可能である。合成処理部２３０では、第１の画像処理部２１０および第２の画像処理部２２０の、異なった色変換テーブルで画像処理が施された画像について、異なった空間処理が施され、例えば境界部分の不整合をなくすために、境界部分をぼやかす等の合成処理が行われる。尚、画像処理部２００の構成については、後に詳述する。
【００２３】
画像出力部１４０は、カラー画像形成装置の本体側である画像形成部(ＩＯＴ)に応じた色処理を行うＩＯＴ色処理や、２値化のためのハーフトーニング処理を行い、カラー画像形成装置の本体側に対して処理後の画像信号を出力している。
【００２４】
図３は、画像処理部２００の構成を更に詳述したブロック図である。画像処理部２００の第１の画像処理部２１０は、顔抽出部１３０によって顔であると抽出された領域について、顔領域特有の画像処理を施している。この第１の画像処理部２１０は、明度色度分離部２１１、色補正部２１２、墨加刷・下色除去部２１３、および空間補正部２１４を備えている。また、画像処理部２００の第２の画像処理部２２０は、顔抽出部１３０によって顔以外の領域であると抽出された部分について、顔以外の領域特有の画像処理を施している。この第２の画像処理部２２０は、同様に、明度色度分離部２２１、色補正部２２２、墨加刷・下色除去部２２３、および空間補正部２２４を備えている。
【００２５】
この第１の画像処理部２１０は第１の色変換テーブルを備え、第２の画像処理部２２０は第２の色変換テーブルを備えている。そして、第１の色変換テーブルおよび第２の変換テーブルは、各々、例えば１つのＬＵＴ(ルックアップテーブル)によって構成される。ＬＵＴのパラメータを変更するという形式で、第１の色変換テーブルと第２の色変換テーブルとを構成することが可能である。尚、図３では、各機能の順序を便宜的に示しているが、この順序は固定なものではない。例えば空間フィルタは、Ｌ＊ａ＊ｂ＊空間で施される場合もあるし、ＣＭＹＫ空間で施される場合もある。また、両者で施される場合もある。
【００２６】
第１の画像処理部２１０の明度色度分離部２１１は、入力された顔領域におけるＲＧＢ表色系の信号をＣＩＥ Ｌ＊ａ＊ｂ＊表示系の色信号に変換している。一方、第２の画像処理部２２０の明度色度分離部２２１では、顔領域以外の領域におけるＲＧＢ表色系の信号を、ＣＩＥ Ｌ＊ａ＊ｂ＊表示系の色信号に変換する処理が行われる。
【００２７】
第１の画像処理部２１０における色補正部２１２では、顔領域の画像信号に対して、好ましい色再現のための色補正や、画像形成装置のガミュートを考慮した色補正などが行われる。例えば、第２の画像処理部２２０で用いられる色変換テーブルとは調子再現カーブを異ならせて色変換が施される。この調子再現カーブは、入力された画像信号の濃度域を、画像形成装置で印刷(プリント)する際に再現できる出力再現濃度域に変換するものである。この調子再現カーブとしては、例えば、ΔＥＬａｂ(入力)をΔＥＬａｂ(補正後の好ましい)に変更するものがある。また、例えば、ΔＬ,Δａ,Δｂ(入力)をΔＬ,Δａ,Δｂ(補正後の好ましい)に変更するものがある。このとき、各々の傾きを変えても良い。更に、例えば、ΔＲ,ΔＧ,ΔＢ(入力)をΔＲ,ΔＧ,ΔＢ(補正後の好ましい)に変更するものも挙げられる。
本実施の形態では、顔部分の調子再現カーブの傾きを他の部分の調子再現カーブの傾きに比べて寝かせている。即ち、第１の画像処理部２１０に用いられる第１の色変換テーブルの調子再現カーブは、第２の画像処理部２２０で用いられる第２の色変換テーブルの調子再現カーブに比べて、顔領域中央部におけるカーブの傾きを寝せるように構成した。これによって、顔部分の滑らかな調子再現を可能とし、一方で、顔以外の領域に対してコントラストを維持し、鮮鋭性を確保することができる。
【００２８】
第１の画像処理部２１０に用いられる第１の色変換テーブルの墨加刷・下色除去部２１３では、第２の画像処理部２２０に用いられる第２の色変換テーブルの墨加刷・下色除去部２２３とは異なる条件で、顔領域にて特有の墨入れ量が決定される。尚、この墨入れ処理には、従来のＵＣＲ法を用いることができる。即ち、ＣＭＹＫの最小値に対して決まる最大Ｋ(墨)量に対して、Ｋに置換する比率(ＵＣＲレート)を顔領域で低い値とすることで好ましい顔の再現が可能となる。
【００２９】
色変換テーブルは、補正後の好ましいＬ＊ａ＊ｂ＊値をＣＭＹＫに置き換えるためのもので、例えば、３次元テーブルが用いられる。即ち、ＣＭＹＫの値をマトリックス的に変化させたパッチ画像を出力し、それぞれのパッチのＬ＊ａ＊ｂ＊を測色して、ＣＭＹＫとＬ＊ａ＊ｂ＊との関係を求める。この結果から、例えば重み付け重回帰法やニューラルネットワーク法によって、Ｌ＊ａ＊ｂ＊−ＣＭＹＫの関係を記述する３次元ＬＵＴを作成する方法を用いることができる。
【００３０】
更に、第１の画像処理部２１０の空間補正部２１４では、顔領域特有のノイズ除去、シャープネス強調等を行うための空間フィルタが用いられる。一方、第２の画像処理部２２０の空間補正部２２４では、顔以外の領域に対して特有の(顔領域とは異なる)ノイズ除去、シャープネス強調等を行うための空間フィルタが用いられる。本実施の形態では、このように、２つの領域において空間フィルタを変えることで、顔以外の領域に対してはエッジ強調を強め、顔領域はエッジ強調を弱める等、写真プリントにおいて最も頻繁に使用される絵柄であるポートレート画像を好ましく再現することができる。
【００３１】
図４は、第１の画像処理部２１０および第２の画像処理部２２０における墨入れ量を説明するための図である。図４では、Ｌ＊ａ＊ｂ＊表示にて、本実施の形態が適用される色変換テーブルの内容を表現している。Ｌ＊は明度を表し、ａ＊ｂ＊で色相と彩度を表現している。ここでは、最大墨入れ量を
(Ｌ＊，ａ＊，ｂ＊)＝(ｋ，０，０)を頂点、
Ｌ＊＝０、ａ＊２＋ｂ＊２＝ｒの円を底面、
とする円錐で規定している。そして、顔領域と顔以外の領域の２つの領域の色変換テーブルにて、ｋが等しく、且つ、顔領域の色変換テーブルにて底面ｒをｒ＝ｒｆ、顔以外の領域の色変換テーブルにて底面をｒ＝ｒ０としたときに、
ｒｆ ＜ ０.７×ｒ０
となるように設計した。各円錐の頂点が最も明るくなり、円錐の斜面は、それぞれ墨入れの限界を表している。これにより、同じＬ＊の値をとった場合(同じグレーの値をとった場合)に、各円錐をそのＬ＊の値で切った平面(円)について、顔領域は顔以外の領域よりも小さくなる。即ち、同じＬ＊の値をとった場合(同じグレーの値をとった場合)において顔領域は墨が入り難くなる。尚、墨入れ率は、円錐表面で０％、Ｌ＊＝０、ａ＊＝０、ｂ＊＝０において１００％とし、その間の墨入れ量はリニアに配分される。
【００３２】
ここで、ｒｆがｒ０の０.７倍よりも大きいか否かを基準としたのは、出願人による鋭利検討の結果、顔領域に対する墨入れの判断基準値として、かかる値が好ましいものと導き出されたことによる。即ち、ｒｆがｒ０の０.７倍よりも大きい場合には、両者の色変換テーブルを用いた処理の優位性が十分に表れず、例えば、顔以外の高濃度域の色再現範囲を確保した場合に、顔領域にスクリーン構造が見えたり、ノイズが増加する問題点が十分に解消できない。しかしながら、ｒｆをｒ０の０.７倍よりも小さくすることで、顔領域を滑らかに表現できると共に、顔以外の高濃度域の色再現範囲を確保することができ、良好なポートレート画像を得ることができる。
【００３３】
このように、本実施の形態では、顔領域とその他の領域とで、墨入れ量が異なる複数の色変換テーブルを準備している。尚、任意の色領域に墨入れ処理を施すため、墨入れ処理にはフレキシブルＧＣＲが用いられる。このフレキシブルＧＣＲについては、「富士ゼロックステクニカルレポート」第１１号(１９９６)の２６〜３３頁に詳しい。本実施の形態では、このフレキシブルＧＣＲについて、顔領域と顔以外の領域とでパラメータの異なるものを準備することで、顔領域に相当する色変換テーブルの墨入れ量がその他の領域の色変換テーブルに比べて小さくなるように構成している。また、更に拡張して、顔領域の色変換テーブルには墨入れをしない(黒＝０)ように構成することも可能である。
尚、上述したような空間補正、調子再現補正、好ましい色補正は、Ｌ＊ａ＊ｂ＊空間への変換以前(ＲＧＢ空間)にて行うように構成することもできる。
【００３４】
図５は、本実施の形態にて実行される画像処理の流れを示したフローチャートである。画像処理装置１００の画像入力部１１０(画像形成装置の画像入力手段)は、例えばＰＣから、デジタルカメラで撮影され所定のメモリに格納された写真画像の画像信号を入力する(ステップ１０１)。前処理部１２０は、入力された画像信号に対してスムージング処理を施し(ステップ１０２)、画像信号からノイズを除去する。また、前処理部１２０では、画像信号に対してシェーディング補正などの照明光補正が施される(ステップ１０３)。その後、顔抽出部１３０にて、顔色抽出(ステップ１０４) と、顔形状マッチング(ステップ１０５)とが実行される。そして、画像処理対象となる画像(画素または複数画素)が顔領域か否かが判断される(ステップ１０６)。顔領域に含まれると判断される領域については、画像処理部２００の第１の画像処理部２１０によって、顔ガミュート色調変換の処理と(ステップ１０７)、顔領域の空間処理(ステップ１０８)とが施される。
【００３５】
一方、ステップ１０６にて、顔領域には含まれないと判断された領域には、画像処理部２００の第２の画像処理部２２０によって、顔以外の領域に対する(通常の)ガミュート色調変換の処理が実行され(ステップ１０９)、顔以外の領域に対する(通常の)空間処理が実行される(ステップ１１０)。その後、画像処理部２００の合成処理部２３０にて、境界・合成処理が施され(ステップ１１１)、第１の画像処理部２１０および第２の画像処理部２２０にて各々処理された画像を合成するに際して、例えば境界部分をぼかす等の処理が実行される。そして、画像処理装置１００の画像出力部１４０にて、画像形成装置に合わせた色処理であるＩＯＴ色処理が施され(ステップ１１２)、ハーフトーニング処理による２値化がなされた後(ステップ１１３)、画像形成装置に向けてＣＭＹＫの画像信号が出力される(ステップ１１４)。
【００３６】
ここで、顔領域とその他の領域(顔以外の領域)との境界部分については、第１の色変換テーブルである顔領域用の色変換テーブルと、第２の色変換テーブルである顔以外の領域用の色変換テーブルとをランダムに混ぜて使用するように構成することもできる。かかる場合には、顔抽出部１３０にて顔領域と判断された領域の周辺部分の領域については、ランダムに第１の画像処理部２１０または第２の画像処理部２２０に振り分けて、各々の色変換テーブルにて画像処理が施されるように構成する。そして、合成処理部２３０にて、第１の画像処理部２１０および第２の画像処理部２２０にて処理されたランダムな領域の画像信号を合成する。このように構成すれば、境界部分の不連続性を緩和でき、浮いたような境界部分を改善して、スムーズな画像を得ることができる。
【００３７】
尚、以上、詳述したこれらの処理は、各種ＰＣや画像形成装置などの各種コンピュータに実行されるプログラムとして提供される場合がある。このプログラムは、コンピュータが有するＲＡＭやＲＯＭ、ハードディスクドライブ(ＨＤＤ)などの各種メモリに格納され、コンピュータが有するＣＰＵにて実行される。このプログラムは、コンピュータに対して、ＣＤ−ＲＯＭやＤＶＤ−ＲＯＭ、半導体メモリなどの各種リムーバブルメモリに格納された状態で提供される場合の他、インターネット等のネットワークを介してダウンロードされる場合がある。
【００３８】
このように、特に撮影された画像データの再現では、顔の領域は、粒状が良くてメリハリはいらず、滑らかさが重視されることから、粒状性を強めにし、シャープネスを弱めにすることが好ましい。一方、それ以外の領域では、粒状はあっても良いがシャープネスを強めることが望まれる。例えば画像処理部を単一とし、顔の領域部分に合わせて画像処理を行ったとすると、顔の領域部分は滑らかになるが、それ以外の領域についてはメリハリがなくなる。しかしながら本実施の形態では、画像処理部２００を、墨入れ量の異なる２つの画像処理部(第１の画像処理部２１０、第２の画像処理部２２０)に分け、顔領域とその他の領域とで墨入れ量の異なる色変換テーブルを用いて画像処理を行うように構成した。これによって、顔領域におけるスクリーン構造や粒状を目立たなくすることができ、この領域の滑らかな調子再現が可能となる。このとき、顔以外の領域の色再現範囲は広くでき、かつ階調の連続性や滑らかさも失われることがない。このようにして、写真プリントにおいて最も頻繁に使われている絵柄であるポートレート画像を好ましく再現することが可能となる。
【産業上の利用可能性】
【００３９】
本発明は、例えば、プリンタや複写機、印刷機等の画像形成装置の他、これらの画像形成装置に対して画像を形成する、または、画像形成装置に用いられる画像処理装置、画像処理方法に適用することができる。
【図面の簡単な説明】
【００４０】
【図１】本実施の形態が適用されるカラー画像形成装置の構成を示した図である。
【図２】本実施の形態が適用される画像処理装置の構成を示した図である。
【図３】画像処理部の構成を更に詳述したブロック図である。
【図４】第１の画像処理部および第２の画像処理部における墨入れ量を説明するための図である。
【図５】本実施の形態にて実行される画像処理の流れを示したフローチャートである。
【符号の説明】
【００４１】
１００…画像処理装置、１１０…画像入力部、１２０…前処理部、１３０…顔抽出部、１４０…画像出力部、２００…画像処理部、２１０…第１の画像処理部、２２０…第２の画像処理部、２３０…合成処理部
【図１】
2006099167.tif 000003
【図２】
2006099167.tif 000004
【図３】
2006099167.tif 000005
【図４】
2006099167.tif 000006
【図５】
2006099167.tif 000007